(57)【特許請求の範囲】
【請求項１】
空気が吸入される吸入口(24)、及び
複数個の空気通過部(36)を棒状部材(38,39,49)により画定しつつ前記吸入口(24)に設けられる吸入口カバー(35)、
を有し、
前記棒状部材(38,39,49)の横断面は、空気通過方向の両端部の内、少なくとも一方がほぼ鋭角となっており、
該鋭角の横断面は、一方の側においては空気通過方向に対してほぼ平行であり、他方の側においては空気通過方向に対して斜めとされているものであり、
前記吸入口カバー(35)は、周方向へ延びる周方向棒状部材(38)を含み、空気通過方向へ前記周方向棒状部材(38)の下流側端部は、空気通過方向下流側へ進むに連れて外周側へ向かうテーパ状内周面とされることにより、鋭角を形成していることを特徴とする遠心送風機。
【請求項２】
空気が吸入される吸入口(24)、及び
複数個の空気通過部(36)を棒状部材(38,39)により画定しつつ前記吸入口(24)に設けられる吸入口カバー(35)、
を有し、
棒状部材(38,39)は、空気通過方向下流側への下流端の突出量を増減しつつ、前記吸入口(24)の横断面方向へ延びていることを特徴とする遠心送風機。
【請求項３】
空気が吸入される吸入口(24)、及び
複数個の空気通過部(36)を棒状部材(49)により画定しつつ前記吸入口(24)に設けられる吸入口カバー(35)、
を有し、
前記棒状部材(49)は、その延び方向へ螺旋状に回転しつつ延びているものであることを特徴とする遠心送風機。
【請求項４】
前記棒状部材(38,39,49)の横断面は、空気通過方向の下流側端部(40,55)がほぼ鋭角となっていることを特徴とする請求項２又は３記載の遠心送風機。
【請求項５】
前記棒状部材(38,39)の横断面の、空気通過方向に対して直角方向の幅は、棒状部材(38,39)の延び方向へ増減していることを特徴とする請求項２〜４のいずれかに記載の遠心送風機。
【請求項６】
前記吸入口(24)からの吸入空気を放射方向内側と外側との部分に分ける円筒(58)が、その軸線を前記遠心送風機(14)のファンロータ(23)の中心線に揃えて前記吸入口カバー(35)の下流面側に取り付けられ、空気通過方向へ前記円筒(58)の下流側端部(59)は、空気通過方向下流側へ進むに連れて内径を漸増するテーパ状内周面に形成されることにより、ほぼ鋭角となっていることを特徴とする請求項１〜５のいずれかに記載の遠心送風機。
【請求項７】
請求項１〜６のいずれかに記載の遠心送風機(14)を装備することを特徴とする携帯型作業機。
【発明の詳細な説明】
【０００１】
【発明の属する技術分野】
この発明は、遠心送風機、及びそれを装備するエンジンブロワ等の携帯型作業機に係り、詳しくは吸入口の騒音を抑制できる遠心送風機及びそれを装備する携帯型作業機に関するものである。
【０００２】
【従来の技術】
エンジンブロワ及び動力散布機は、遠心送風機を装備し、遠心送風機により生成した風を利用している。遠心送風機の吸入口には、遠心送風機内への異物の吸込み防止や、手等の身体の不用意な侵入を防止するために、安全カバーが設けられている。
【０００３】
【発明が解決しようとする課題】
従来の安全カバーでは、その空気通過部を画定する棒状部材は、例えば図５に図示の周方向棒状部材43のように、空気通過方向Ａ（＝吸入口24の横断面方向に対して直角方向）への端部が平面状又はＲ状に形成されており、下流側に大きな渦流41が生成され、騒音の原因になっている。
【０００４】
この発明の目的は、上述の問題点を克服する遠心送風機及び携帯型作業機を提供することである。
【０００５】
【課題を解決するための手段】
この発明の遠心送風機(14)は、空気が吸入される吸入口(24)、及び  複数個の空気通過部(36)を棒状部材(38,39,49)により画定しつつ吸入口(24)に設けられる吸入口カバー(35)を有している。棒状部材(38,39,49)の横断面は、空気通過方向の両端部の内、少なくとも一方がほぼ鋭角となっている。
【０００６】
空気通過方向から見て吸入口カバー(35)における棒状部材(38,39,49)の形成パターンは、任意であり、例えば、（ａ）縦横の格子状のパターンや、（ｂ）周方向へ所定角度間隔の位置において中心から放射方向へ延びる複数個の放射方向部分と同心的な複数個の円周部分との組合せから成るパターンが含まれる。
【０００７】
棒状部材(38,39,49)の横断面における空気通過方向への両端部の一方のみがほぼ鋭角とされる場合は、その一方は、好ましくは、下流側端部(40,55)が選択されるが、上流側端部を選択してもよい。
【０００８】
棒状部材(38,39,49)の横断面において、空気通過方向の少なくとも一方の端部が鋭角に形成されることにより、従来の空気通過方向に対峙する平面やＲに比して、渦流(41)の生成が抑制され、騒音を低下できる。
【０００９】
なお、棒状部材(38,39,49)の下流側端部(40,55)及び上流側端部の横断面形状を鋭角にする代わりに、棒状部材(38,39,49)の下流側端部(40,55)及び上流側端部下流側端部(40,55)の両方の横断面形状を流線形にしたり、棒状部材(38,39,49)の横断面形状全体を流線形にしたりしても、鋭角のときと同様に、棒状部材(38,39,49)の下流側における渦流(41)の生成を抑制し、騒音を低下することができる。
【００１０】
この発明の遠心送風機(14)は、空気が吸入される吸入口(24)、及び複数個の空気通過部(36)を棒状部材(38,39)により画定しつつ吸入口(24)に設けられる吸入口カバー(35)を有している。棒状部材(38,39)は、空気通過方向下流側への下流端の突出量を増減しつつ、吸入口(24)の横断面方向へ延びている。
【００１１】
棒状部材(38,39)における空気通過方向下流側への下流端の突出置の増減は、通常は、棒状部材(38,39)の延び方向へ等寸法間隔で行われるが、これに限定されない。
【００１２】
棒状部材(38,39)が、空気通過方向下流側への下流端の突出置を増減しつつ、前記吸入口(24)の横断面方向へ延びていることにより、延び方向への棒状部材(38,39)の各下流側端部(40)により生成される渦流(41)は、時間差を付けて生成されることになり、位相の相違により相互に効率よく相殺される。結果、棒状部材(38,39)の下流側における渦流の生成が抑制され、遠心送風機(14)の騒音を低下できる。
【００１３】
この発明の遠心送風機(14)は、空気が吸入される吸入口(24)、複数個の空気通過部(36)を棒状部材(49)により画定しつつ吸入口(24)に設けられる吸入口カバー(35)を有している。棒状部材(49)は、その延び方向へ螺旋状に回転しつつ延びているものである。
【００１４】
棒状部材(49)が、その延び方向へ螺旋状に回転しつつ延びていることにより、延び方向への棒状部材(49)の各下流側端部(40,55)により生成される渦流(41)は、時間差を付けて生成されることになり、同一時刻における集中的な渦流(41)の生成が回避され、遠心送風機(14)の騒音を低下できる。
【００１５】
この発明の遠心送風機(14)によれば、棒状部材(38,39,49)の横断面は、空気通過方向の下流側端部(40,55)がほぼ鋭角となっている。
【００１６】
棒状部材(38,39,49)の横断面において、空気通過方向の下流側端部(40,55)がほぼ鋭角となることにより、棒状部材(38,39,49)の下流側における渦流(41)の生成が抑制され、さらに、棒状部材(38,39,49)が、空気通過方向下流側への下流端の突出量を増減しつつ前記吸入口(24)の横断面方向へ延びていることにより、又は棒状部材(38,39,49)が、その延び方向へ螺旋状に回転しつつ延びていることにより、棒状部材(38,39,49)の下流側に生成される渦流(41)は、時間差を付けて生成されることになり、同一時刻における集中的な渦流(41)の生成が回避され、遠心送風機(14)の騒音を低下できる。
【００１７】
この発明の遠心送風機(14)によれば、棒状部材(38,39)の横断面の、空気通過方向に対して直角方向の幅は、棒状部材(38,39)の延び方向へ増減している。
【００１８】
空気通過方向に対して直角方向への棒状部材(38,39,49)の幅が棒状部材(38,39,49)の延び方向へ増減することについて、その増減は、連続的な増減であっても、不連続な増減であってもよいとする。
【００１９】
空気通過方向に対して直角方向への棒状部材(38,39,49)の幅を、棒状部材(38,39,49)の延び方向へ増減することにより、各渦流(41)の生成時刻が一層、分散化し、騒音が抑制される。
【００２０】
この発明の遠心送風機(14)によれば、吸入口(24)からの吸入空気を放射方向内側と外側との部分に分ける円筒(58)が、その軸線を遠心送風機(14)のファンロータ(23)の中心線に揃えて吸入口カバー(35)の下流面側に取り付けられ、空気通過方向へ円筒(58)の下流側端部(59)がほぼ鋭角となっている。
【００２１】
円筒(58)は、遠心送風機(14)内へ吸入口(24)から吸入される空気流を放射方向外側と内側とで分け、すなわち整流する。この円筒(58)の下流側端部(59)がほぼ鋭角とされることにより、円筒(58)の下流端に生成される渦流を抑制し、騒音を低下できる。
【００２２】
この発明の携帯型作業機(10)は、上述の遠心送風機(14)を装備する。
【００２３】
携帯型作業機(10)には、例えばエンジンブロアや背負動力散布機が含まれる。
【００２４】
【発明の実施の形態】
以下、発明の実施の形態について図面を参照して説明する。
図１はエンジンブロア10の側面図である。背負枠11は、水平に延びる水平枠部分12と、水平枠部分12の前端部から鉛直方向へ起立する垂直枠部分13とを有している。遠心送風機14は、吸入口24を垂直枠部分13に対峙させつつ、下端部を水平枠部分12に固定され、上端部の前面側においてゴムマウントを介して垂直枠部分13に結合している。エアクリーナ15は遠心送風機14の上部に固定され、エンジン16は遠心送風機14の後面側に固定され、燃料タンク17は、遠心送風機14の後ろ側において水平枠部分12に固定される。遠心送風機14は、前後から相互に接合される前側ファンケース部分29及び後ろ側ファンケース部分30を備え、ファンロータ23は、前側ファンケース部分29及び後ろ側ファンケース部分30内に収容され、送風通路25は、吐出口の方へ向かうに連れて横断面積を漸増しつつ、ファンロータ23の周囲を巡るように形成されている。エンジン16は、エアクリーナ15から空気を吸入し、燃料タンク17から供給される燃料を燃焼させ、ファンロータ23を回転駆動する。ファンロータ23は、回転に伴い、吸入口24より空気を吸入し、放射方向外側へ吹き出し、吹き出された空気は、送風通路25を進んで、図示していない多口噴頭へ送出される。左右の肩掛けバンド18は、上端部において垂直枠部分13の上端部中央部に固定され、下端部を垂直枠部分13の下端部の左右の端部に取り付けられている。作業者は、エンジンブロア10を背負うときには、左右の肩掛けバンド18と垂直枠部分13との間に左右の肩を通すことになる。
【００２５】
図２は前側ファンケース部分29の断面図、図３は前側ファンケース部分29における吸入口24の部位を正面から見た図である。前側ファンケース部分29は、樹脂成形品から成り、ファンロータ23の前面中央部に対応する位置に吸入口24を有している。安全カバー35は、吸入口24の位置において前側ファンケース部分29に固定され、同心に並ぶ複数個の周方向棒状部材38と、周方向へ等角度間隔で位置し放射方向へ延びる複数個の放射方向棒状部材39とを有している。周方向棒状部材38及び放射方向棒状部材39はその各素片部において空気通過部36を画定し、周方向棒状部材38及び放射方向棒状部材39は、各空気通過部36がほぼ等面積となるような形成パターンで、吸入口24内に張り巡らされている。遠心送風機14の外部の空気は、吸入口24の全体に一様に分布する空気通過部36を通過して、吸入口24内へ流入する。
【００２６】
図４は周方向棒状部材38の横断面である。Ａは、吸入口24の横断面方向に対して直角方向、すなわち、ファンロータ23の作動時の吸入口24における空気の通過方向である。周方向棒状部材38の横断面は、Ａ方向へ上流側の端部は、Ａ方向に対峙する平面となっているのに対し、下流側端部40は下流へ向かって鋭角となっている。下流側端部40の横断面は、下流側へ向かって鋭角となるように、例えば、（ａ）では、直角三角形となり、また、（ｂ）では、二等辺三角形となっている。ファンロータ23の作動に伴う吸入空気が、周方向棒状部材38の周囲をＡ方向へ通過するのに伴い、下流側端部40の下流側に渦流41が生成されるが、下流側端部40の下流方向の鋭角形状により、十分に低減されたものとなる。なお、本図及び以降の図６〜図８において、周方向棒状部材38，49についてのみ図示及び説明しているが、これらの構造は、放射方向棒状部材39についても適用される。
【００２７】
図５は従来の安全カバー35の周方向棒状部材43による渦流41の生成状態を示している。周方向棒状部材43の下流側端部は、（ａ）のように、Ａ方向下流側の端面がＡ方向に対して直角な平面となっている場合、（ｂ）のように、Ｒとなっている場合がある。いずれの場合も、周方向棒状部材43の下流側に生成される渦流41が大きなものとなっている。これに対して、図４の周方向棒状部材38では、下流側端部40を鋭角にすることにより、渦流41を大幅に減少させている。
【００２８】
図６は周方向棒状部材38の別の構造例を示す。この周方向棒状部材38は、延び方向へ所定の等寸法ごとに第１の延び方向部分45と第２の延び方向部分46とを交互に有している。図６の左は吸入口24の横断面方向に対して平行な方向から見た図であり、図６の右は第１の延び方向部分45と第２の延び方向部分46との横断面を対比して示している。第１の延び方向部分45の横断面積は第２の延び方向部分46の横断面積より大きい。第１の延び方向部分45の上流端と第２の延び方向部分46の上流端とは、Ａ方向へほぼ同一位置になっているのに対し、下流端の対比では、第１の延び方向部分45の下流端の方が第２の延び方向部分46の下流端より寸法Ｌだけ下流側の位置へ達している。第１の延び方向部分45及び第２の延び方向部分46の交互の繰り返しにより、第１の延び方向部分45の下流側に生成される渦流41と第２の延び方向部分46の下流側に生成される渦流41とは、生成時刻に時間差が生じ、すなわち同時刻における集中的な生成が防止され、周方向棒状部材38全体としての渦流41の生成は抑制される。
【００２９】
図７は安全カバー35の別の周方向棒状部材49の構造例を示す。周方向棒状部材49は、平形の横断面をもち、螺旋状に回転しながら、吸入口24の横断面方向へ延びている。この周方向棒状部材49においても、Ａ方向への周方向棒状部材49の下流側端の突出量は、周方向棒状部材49の延び方向へ所定の等寸法間隔で増減を繰返すようになっているので、図６の周方向棒状部材38の場合と同様に、周方向棒状部材49の下流側に生成される渦流41は、突出量大の部分と小の部分とで生成時刻に時間差が生じ、すなわち同時刻における集中した生成が抑制され、周方向棒状部材49全体としての渦流41の生成が抑制される。
【００３０】
図８は図７の周方向棒状部材49の横断面Ｃ１，Ｃ２の向きをを延び方向から見た図である。Ｃ１，Ｃ２は、周方向棒状部材49の延び方向から見て、周方向棒状部材49の横断面が、Ａ方向に対してそれぞれ±４５°傾斜している延び方向位置のものとなっている。図７の周方向棒状部材49の横断面は、長方形であってもよいが、上流側部分54及び下流側端部55共にＡ方向へ鋭角とする形状に規定される結果、上流側部分54及び下流側端部55は、図８に示すように、Ａ方向に対して鋭角を向ける。これにより、Ａ方向へ下流側端部55の下流側に生成される渦流41は抑制され、騒音が低下する。
【００３１】
図９は円筒58を装備するエンジンブロア10の主要部の垂直断面図である。円筒58は吸入口24の中心線に対して同軸的に配設され、上流端において安全カバー35の下流面側に固定されている。円筒58は、安全カバー35を介して吸入されて来る空気を放射方向外側及び内側に分け、これにより、吸入空気は吸入口24において整流されて、ファンロータ23の翼部へ流入する。円筒58の下流側環状端部59は鋭角とされ、これにより、下流側環状端部59の下流側に生成される渦流41は抑制される。
【図面の簡単な説明】
【図１】動力散布機の側面図である。
【図２】前側ファンケース部分における吸入口の部位を正面から見た図である。
【図３】前側ファンケース部分における吸入口の部位を正面から見た図である。
【図４】周方向棒状部材の横断面である。
【図５】従来の安全カバーの周方向棒状部材による渦流の生成状態を示す図である。
【図６】周方向棒状部材の別の構造例を示す図である。
【図７】安全カバーの別の周方向棒状部材の構造例を示す図である。
【図８】図７の周方向棒状部材の横断面Ｃ１，Ｃ２の向きをを延び方向から見た図である。
【図９】円筒を装備する動力散布機の主要部の垂直断面図である。
【符号の説明】
１０    エンジンブロア（携帯型作業機）
１４    遠心送風機
２３    ファンロータ
２４    吸入口
３５    安全カバー（吸入口カバー）
３６    空気通過部
３８    周方向棒状部材（棒状部材）
３９    放射方向棒状部材（棒状部材）
４９    周方向棒状部材（棒状部材）
５４    上流側部分
５５    下流側端部
５８    円筒
５９    下流側環状端部（下流側端部）
【図１】
0003741255.tif 000002
【図２】
0003741255.tif 000003
【図３】
0003741255.tif 000004
【図４】
0003741255.tif 000005
【図５】
0003741255.tif 000006
【図６】
0003741255.tif 000007
【図７】
0003741255.tif 000008
【図８】
0003741255.tif 000009
【図９】
0003741255.tif 000010